(57)【要約】【課題】  ウレタンゴム等を取り付けた層厚調整部材を用いることなく、分散フィーダ上へ片寄りなく均一に被計量物を供給することができるとともに被計量物の破損も防止することができる組合せ秤用供給装置を提供する。【解決手段】  円錐形状の分散フィーダ１１の上方に配設され、上部開口から受け入れた被計量物を下部開口から排出して分散フィーダ１１へ供給する逆円錐台形状の供給ファネル２と、長手方向の一端側に供給される被計量物を滑落させて他端側から供給ファネル２上へ排出させるように一端が他端より高い位置となる傾斜をもって配設される樋状のシュート３１とを備え、シュート３１から排出される被計量物を供給ファネル２上で螺旋を描きながら滑落させるために、平面視においてシュート３１から排出される被計量物の排出方向が供給ファネル２の下部開口から外れた方向となるようにシュート３１が配置されている。【選択図】  図１
2011047789.tif 000002
【特許請求の範囲】
【請求項１】
円錐形状の分散フィーダと、前記分散フィーダの周囲に放射状に設けられて前記分散フィーダから供給される被計量物をホッパへ送出する複数の直進フィーダとを有する組合せ秤へ被計量物を供給する組合せ秤用供給装置であって、
前記分散フィーダの上方に配設され、上部開口から受け入れた被計量物を下部開口から排出して前記分散フィーダへ供給する逆円錐台形状の供給ファネルと、
長手方向の一端側に供給される被計量物を滑落させて他端側から前記供給ファネル上へ排出させるように前記一端が前記他端より高い位置となる傾斜をもって配設される樋状のシュートとを備え、
前記シュートから排出される被計量物を前記供給ファネル上で螺旋を描きながら滑落させるために、平面視において前記シュートから排出される被計量物の排出方向が前記供給ファネルの下部開口から外れた方向となるように前記シュートが配置された、組合せ秤用供給装置。
【請求項２】
前記シュートから排出される被計量物の前記供給ファネルへの落下位置を、前記供給ファネルの下部開口の周縁部から上部開口の周縁部までの範囲内で変更でき、かつ、変更したときにも平面視において前記シュートから排出される被計量物の排出方向が前記供給ファネルの下部開口から外れた方向となるように、前記シュートがその位置を変更可能に構成された、請求項１に記載の組合せ秤用供給装置。
【請求項３】
前記シュートは、その前記一端側に位置する軸の回りに回動することによりその位置を変更するように構成された、請求項２に記載の組合せ秤用供給装置。
【請求項４】
前記シュートから排出される被計量物の前記供給ファネルへの落下位置を、前記供給ファネルの下部開口の周縁部から上部開口の周縁部までの範囲内で変更でき、かつ、変更したときにも平面視において前記シュートから排出される被計量物の排出方向が前記供給ファネルの下部開口から外れた方向となるように、前記シュートの位置を変更するシュート位置変更手段と、
被計量物の複数の種類の中から１つの種類を入力する入力手段と、
被計量物の複数のそれぞれの種類に応じて予め決められた前記シュートの位置を記憶し、前記入力手段から入力された被計量物の種類に応じた前記シュートの位置になるように前記シュート位置変更手段を制御する制御手段とを、さらに備えた請求項１に記載の組合せ秤用供給装置。
【請求項５】
前記シュート位置変更手段は、前記シュートをその前記一端側に位置する軸の回りに回動させることにより前記シュートの位置を変更するように構成された、請求項４に記載の組合せ秤用供給装置。
【発明の詳細な説明】
【技術分野】
【０００１】
本発明は、組合せ秤へ被計量物を供給する組合せ秤用供給装置に関する。
【背景技術】
【０００２】
従来、組合せ秤へ被計量物を供給する組合せ秤用供給装置として、例えば図３に示されるものがある。
【０００３】
図３（ａ）は、従来の組合せ秤用供給装置及び組合せ秤を側方から見た概略構成を示す図であり、図３（ｂ）は、同組合せ秤用供給装置を上方から見た概略構成を示す図である。
【０００４】
組合せ秤には、円錐形の分散フィーダ１１と、分散フィーダ１１の周囲に放射状に配設された複数の直進フィーダ１２と、各直進フィーダ１２の下方に配設された供給ホッパ１３及び計量ホッパ１４と、各計量ホッパ１４に取り付けられたロードセル等の重量センサ１５と、集合シュート１６と、集合ファネル１７とが設けられている。
【０００５】
ここで、従来の組合せ秤用供給装置は、搬送フィーダ１ａから供給されてくる被計量物を組合せ秤の分散フィーダ１１へ供給するためのものであり、上部開口２ａ及び下部開口２ｂを有する供給ファネル２及び樋状の供給シュート５によって構成されている。このような供給ファネル２及び供給シュート５は、搬送フィーダ１ａと分散フィーダ１１との高さ位置が大きく異なる場合に、分散フィーダ１１へ供給される被計量物の破損を防止するために設けられている。
【０００６】
一方、特許文献１，２には、各計量ホッパに所定量の被計量物を供給するために、リング状の枠体の下部にウレタンゴム等の可撓性部材を取り付けた層厚調整部材を、可撓性部材が分散フィーダ上あるいは直進フィーダ上に配置されるようにして、各々の直進フィーダ上の被計量物の層厚が均一となるようにした構成が開示されている。
【先行技術文献】
【特許文献】
【０００７】
【特許文献１】実開平５−７５６２７号公報
【特許文献２】特開平１１−３２６０２３号公報
【発明の概要】
【発明が解決しようとする課題】
【０００８】
図３に示す従来の組合せ秤用供給装置では、供給シュート５が、その中心線Ｌ１上に供給ファネル２の下部開口２ｂが位置するように配設されている。そのため、供給シュート５から排出された被計量物は、矢印ｅのように落下して、分散フィーダ１１上で供給シュート５とは反対側に片寄りやすくなる。このように分散フィーダ１１上に被計量物が均一な状態で供給されないと、各計量ホッパ１４に供給される被計量物の量が大きく異なり、組合せ計量精度が低下する。また、供給シュート５から排出された被計量物が供給ファネル２上を直線的に滑り落ちるので、下部開口２ｂから排出される被計量物の速度が速く、排出される被計量物が分散フィーダ１１や先に供給されている分散フィーダ１１上の被計量物とぶつかるときの衝撃も比較的大きい。そのため、ポテトチップスなどのスナック菓子のように壊れやすい被計量物の場合には、被計量物が破損しやすくなる。
【０００９】
一方、特許文献１，２のようにウレタンゴム等を取り付けた層厚調整部材を配設した場合には、各計量ホッパへの被計量物の供給量を適当な量にできるが、ウレタンゴム等が破損してそれが異物として被計量物に混ざる虞があり、このような異物は例えばＸ線異物検出装置でも検出されにくく、被計量物が菓子などの食品の場合に、ウレタンゴム等を取り付けた層厚調整部材を用いることはできない。
【００１０】
本発明は上記のような課題を解決するためになされたもので、ウレタンゴム等を取り付けた層厚調整部材を用いることなく、分散フィーダ上へ片寄りなく均一に被計量物を供給することができるとともに被計量物の破損も防止することができる組合せ秤用供給装置を提供することを目的としている。
【課題を解決するための手段】
【００１１】
上記目的を達成するために、本発明の組合せ秤用供給装置は、円錐形状の分散フィーダと、前記分散フィーダの周囲に放射状に設けられて前記分散フィーダから供給される被計量物をホッパへ送出する複数の直進フィーダとを有する組合せ秤へ被計量物を供給する組合せ秤用供給装置であって、前記分散フィーダの上方に配設され、上部開口から受け入れた被計量物を下部開口から排出して前記分散フィーダへ供給する逆円錐台形状の供給ファネルと、長手方向の一端側に供給される被計量物を滑落させて他端側から前記供給ファネル上へ排出させるように前記一端が前記他端より高い位置となる傾斜をもって配設される樋状のシュートとを備え、前記シュートから排出される被計量物を前記供給ファネル上で螺旋を描きながら滑落させるために、平面視において前記シュートから排出される被計量物の排出方向が前記供給ファネルの下部開口から外れた方向となるように前記シュートが配置されている。
【００１２】
この構成によれば、シュートから排出される被計量物は、供給ファネル上を螺旋を描くように滑り落ちて分散フィーダへ供給される。そのため、被計量物の滑り落ちる速度が供給ファネル上で遅くなり、被計量物が分散フィーダや先に供給されている分散フィーダ上の被計量物とぶつかるときの衝撃が小さくなり、被計量物の破損を防止することができる。また、被計量物が供給ファネル上を螺旋を描くように滑り落ちて分散フィーダへ供給されるので、分散フィーダ上へ片寄りなく均一に被計量物を供給することができる。
【００１３】
また、前記シュートから排出される被計量物の前記供給ファネルへの落下位置を、前記供給ファネルの下部開口の周縁部から上部開口の周縁部までの範囲内で変更でき、かつ、変更したときにも平面視において前記シュートから排出される被計量物の排出方向が前記供給ファネルの下部開口から外れた方向となるように、前記シュートがその位置を変更可能に構成されていてもよい。
【００１４】
この構成によれば、例えば、被計量物の種類を変更したときに、シュートから排出される被計量物の供給ファネルへの落下位置がその被計量物に適した位置となるようにシュートの位置を変更することが容易である。
【００１５】
この場合、前記シュートは、その前記一端側に位置する軸の回りに回動することによりその位置を変更するように構成されていてもよい。
【００１６】
また、前記シュートから排出される被計量物の前記供給ファネルへの落下位置を、前記供給ファネルの下部開口の周縁部から上部開口の周縁部までの範囲内で変更でき、かつ、変更したときにも平面視において前記シュートから排出される被計量物の排出方向が前記供給ファネルの下部開口から外れた方向となるように、前記シュートの位置を変更するシュート位置変更手段と、被計量物の複数の種類の中から１つの種類を入力する入力手段と、被計量物の複数のそれぞれの種類に応じて予め決められた前記シュートの位置を記憶し、前記入力手段から入力された被計量物の種類に応じた前記シュートの位置になるように前記シュート位置変更手段を制御する制御手段とを、さらに備えていてもよい。
【００１７】
この構成によれば、例えば、被計量物の種類を変更するときに、その被計量物の種類を入力手段によって入力するだけで、シュートから排出される被計量物の供給ファネルへの落下位置がその被計量物に適した位置となるようにシュートの位置を変更することができる。
【００１８】
この場合、前記シュート位置変更手段は、前記シュートをその前記一端側に位置する軸の回りに回動させることにより前記シュートの位置を変更するように構成されていてもよい。
【発明の効果】
【００１９】
本発明は、以上に説明した構成を有し、組合せ秤へ被計量物を供給する組合せ秤用供給装置において、ウレタンゴム等を取り付けた層厚調整部材を用いることなく、分散フィーダ上へ片寄りなく均一に被計量物を供給することができるとともに被計量物の破損も防止することができるという効果を奏する。
【図面の簡単な説明】
【００２０】
【図１】（ａ）は、本発明の第１の実施形態の組合せ秤用供給装置及び組合せ秤を側方から見た概略構成を示す図であり、（ｂ）は、同組合せ秤用供給装置を上方から見た概略構成を示す図である。
【図２】（ａ）は、本発明の第２の実施形態の組合せ秤用供給装置及び組合せ秤を側方から見た概略構成を示す図であり、（ｂ）は、同組合せ秤用供給装置を上方から見た概略構成を示す図である。
【図３】（ａ）は、従来の組合せ秤用供給装置及び組合せ秤を側方から見た概略構成を示す図であり、（ｂ）は、同組合せ秤用供給装置を上方から見た概略構成を示す図である。
【発明を実施するための形態】
【００２１】
以下、本発明の好ましい実施の形態を、図面を参照しながら説明する。
【００２２】
（第１の実施形態）
図１（ａ）は、本発明の第１の実施形態の組合せ秤用供給装置及び組合せ秤を側方から見た概略構成を示す図であり、図１（ｂ）は、同組合せ秤用供給装置を上方から見た概略構成を示す図である。
【００２３】
本実施形態の組合せ秤用供給装置は、供給ファネル２及び供給シュート装置３を備え、例えば振動フィーダからなる搬送フィーダ１ａから供給されてくる被計量物を組合せ秤へ供給するためのものである。
【００２４】
図１（ａ）に示す組合せ秤は、本実施形態の組合せ秤用供給装置を用いることができる組合せ秤の一例である。この組合せ秤は、その装置上部の中央に、供給ファネル２から供給される被計量物を振動によって放射状に分散させる円錐形の分散フィーダ１１が設けられている。分散フィーダ１１は、供給ファネル２からその中央部に供給される被計量物を振動によってその周縁部方向へ送り出す。分散フィーダ１１の周囲には、分散フィーダ１１から送られてきた被計量物を振動によって各供給ホッパ１３に送りこむための複数の直進フィーダ１２が放射状に設けられている。各直進フィーダ１２の下方には、供給ホッパ１３及び計量ホッパ１４がそれぞれ対応して設けられ、それぞれ円状に配設されている。供給ホッパ１３は直進フィーダ１２から送りこまれた被計量物を受け取り、その下方に配置された計量ホッパ１４が空になると排出ゲートを開いて計量ホッパ１４へ被計量物を投入する。各計量ホッパ１４にはロードセル等の重量センサ１５が取り付けられており、この重量センサ１５により計量ホッパ１４内の被計量物の重量が計測される。各重量センサ１５の計測値は制御装置１８へ出力される。円状に列設された計量ホッパ１４の下方には、略逆円錐台形状の集合シュート１６が配設され、集合シュート１６の下方には集合ファネル１７が設けられている。制御装置１８によって後述の排出組合せに選択された計量ホッパ１４はその排出ゲートを開いて被計量物を排出し、その排出された被計量物は集合シュート１６上を滑り落ち、集合ファネル１７を介して包装機等へ排出される。
【００２５】
また、組合せ秤には、制御装置１８及び操作表示器１９が備えられている。制御装置１８は、例えばマイクロコンピュータによって構成され、ＣＰＵ等からなる演算制御部と、ＲＡＭ及びＲＯＭ等のメモリ等とを備えている。メモリには、予め運転用プログラムが記憶されており、さらに多数の運転条件の設定データ、その他計量値データ等が記憶される。制御装置１８は、演算制御部（ＣＰＵ）がメモリに記憶されている運転用プログラムを実行することにより、組合せ秤の全体の動作の制御を行うとともに組合せ処理等を行う。すなわち、制御装置１８は、分散フィーダ１１及び各直進フィーダ１２の振動装置の制御、供給ホッパ１３及び計量ホッパ１４の排出ゲートの開閉制御を行う。また、組合せ処理では、それぞれの重量センサ１５により計測される被計量物の重量値に基づいて組合せ演算を行い、複数の計量ホッパ１４の中から、供給されている被計量物の重量値の合計が、予め定められた所定重量範囲（目標組合せ重量に対する許容範囲）内になる計量ホッパ１４の組合せを１つ求め、その組合せを排出組合せとする。所定重量範囲内になる組合せが複数存在する場合には、被計量物の重量値の合計と目標組合せ重量との差の絶対値が最も小さい計量ホッパ１４の組合せを１つ求め、それを排出組合せに決める。
【００２６】
操作表示器１９は、例えばタッチスクリーン式のディスプレイ画面を備え、組合せ秤の操作およびその動作パラメータの設定等を行うための入力手段としての機能を有する。
【００２７】
本実施形態の組合せ秤用供給装置は、組合せ秤へ被計量物を搬送する搬送フィーダ１ａと組合せ秤の分散フィーダ１１との高低差が大きい場合に設けられ、分散フィーダ１１の上方に配設される漏斗状の供給ファネル２と、供給ファネル２へ被計量物を供給する供給シュート装置３とを備えている。供給ファネル２は、平面視において同心円状の上部開口２ａ及び下部開口２ｂを有し、上部開口２ａが下部開口２ｂより大きい逆円錐台形状をしている。この供給ファネル２は、平面視において、その中心が分散フィーダ１１の中心と一致するように配設されている。すなわち、供給ファネル２の下部開口２ｂの中心が分散フィーダ１１の中心と一致している。
【００２８】
供給シュート装置３は、断面Ｕ字状の供給シュート３１を備え、供給シュート３１の位置を変更するための構成を有している。供給シュート３１は、底面３１ａの両側に側面３１ｂを有する樋状である。供給シュート３１は、図１（ａ）に示すように、搬送フィーダ１ａから被計量物を受け取る被供給口Ｍ１が、供給ファネル２へ被計量物を排出する排出口Ｍ２より高い位置となるように傾斜をもって配設されている。また、供給シュート３１は、図１（ｂ）に示すように、被供給口Ｍ１から排出口Ｍ２に近づくほど、その幅が狭くなるように構成されている。
【００２９】
この供給シュート３１は回動軸３２に固定され、回動軸３２は、架台３７上に固定された軸受３３と、架台３７上に立設された支柱３９に支持された軸受３８とによって回動可能に支持されている。回動軸３２には、回動軸３２に固着されたレバー取付具３４を介してレバー３５が取り付けられている。架台３７上に立設されたレバー嵌込み板３６には複数のレバー嵌込み部３６ａ〜３６ｃが設けられ、いずれかのレバー嵌込み部にレバー３５を嵌込むことにより、供給シュート３１の位置が固定される。円２０内には、レバー嵌込み板３６を矢印ｘ方向から見た図が示されている。
【００３０】
例えば操作者はレバー把持部３５ａを持ってレバー３５を操作できる。レバー３５を、図１（ａ）の矢印ａのように斜め上方に引き上げると、図１（ｂ）の矢印ｂのように回動軸３２を中心にして回動させることができる。レバー３５を矢印ｂのように回動させると、供給シュート３１は、回動軸３２を中心にして矢印ｃのように回動（揺動）する。レバー３５をレバー嵌込み部３６ａ〜３６ｃのいずれかに嵌め込むことにより、供給シュート３１の位置が固定される。図１（ｂ）では、レバー３５がレバー嵌込み部３６ｂに嵌め込まれている状態が示され、供給シュート３１から排出される被計量物は、矢印ｄのように供給ファネル２上を螺旋状に滑り落ちて分散フィーダ１１へ供給される。例えば、レバー３５がレバー嵌込み部３６ａに嵌め込まれている場合に供給シュート３１から排出される被計量物は、矢印ｄの場合より小さい螺旋を描くようにして供給ファネル２上を滑り落ちる。逆に、レバー３５がレバー嵌込み部３６ｃに嵌め込まれている場合に供給シュート３１から排出される被計量物は、矢印ｄの場合より大きい螺旋を描くようにして供給ファネル２上を滑り落ちる。
【００３１】
レバー３５をレバー嵌込み部３６ａ〜３６ｃのいずれに嵌め込んだ場合も、供給シュート３１は、平面視において供給シュート３１から排出される被計量物の排出方向にあるいはその延長線上に供給ファネル２の下部開口２ｂが位置しないように配置される。すなわち、供給シュート３１は、平面視において供給シュート３１から排出される被計量物の排出方向が供給ファネル２の下部開口２ｂから外れた方向となるように配置される。そのため、前述のように、供給シュート３１から排出される被計量物は、螺旋を描くようにして供給ファネル２上を滑り落ちる。
【００３２】
なお、回動軸３２はその軸方向が鉛直方向となるように設けられているが、鎖線３２ｉで示すように軸方向が鉛直方向から少し傾いて設けられてあってもよい。
【００３３】
本実施形態では、供給シュート３１から排出される被計量物は、供給ファネル２上を螺旋を描くように滑り落ちて分散フィーダ１１へ供給される。そのため、被計量物の滑り落ちる速度が供給ファネル２上で遅くなり、被計量物が分散フィーダ１１や先に供給されている分散フィーダ１１上の被計量物とぶつかるときの衝撃が小さくなり、被計量物の破損を防止することができる。また、被計量物が供給ファネル２上を螺旋を描くように滑り落ちて分散フィーダ１１の中央部へ供給されるので、分散フィーダ１１上へ片寄りなく均一に被計量物を供給することができる。したがって、各直進フィーダ１２から各供給ホッパ１３及び各計量ホッパ１４へ供給される被計量物も略均等な量となり、良好な組合せ計量精度を得ることができる。
【００３４】
また、被計量物と接触する供給シュート３１及び供給ファネル２は、ステンレス製であり、従来のウレタンゴム等を取り付けた層厚調整部材を用いた場合のように、被計量物中へのウレタンゴム等の異物の混入を防止することができる。
【００３５】
また、供給シュート３１から排出される被計量物は、供給ファネル２への落下位置によって供給ファネル２上での滑り落ち方が異なる。例えば、供給ファネル２の下部開口２ｂの周縁部の近くに落下させるよりも上部開口２ａの周縁部の近くに落下させる方が、大きな螺旋を描きながら滑り落ちるのでその落下速度（滑落速度）が遅くなる。さらに、被計量物はその種類によって性状が異なり、供給シュート３１及び供給ファネル２上の滑り落ち方も異なるので、被計量物の各々の種類に応じた供給シュート３１の好適な位置を予め求め、それに応じてレバー嵌込み部３６ａ〜３６ｃの位置が決められたレバー嵌込み板３６を作製して架台３７に固定する。各々の種類の被計量物に応じた供給シュート３１の好適な位置は、例えば試験を行うことによって求める。例えば、ある種類の被計量物を搬送フィーダ１ａへ流して、組合せ秤を試験運転する。このとき、供給シュート３１の位置を変更し、変更した各々の位置において、例えば、分散フィーダ１１及び各直進フィーダ１２上の被計量物の量を目視にて確認し、分散フィーダ１１上の被計量物及び各直進フィーダ１２上の被計量物が片寄り無く均一に分散されているか否かを判断し、より均一に分散されていると判断したときの供給シュート３１の位置を好適な位置としてもよい。あるいは、操作表示器１９のディスプレイ画面に、各々の計量ホッパ１４に供給される被計量物の重量の重量センサ１５による計測値を表示させ、その計測値に基づいて被計量物が片寄り無く均一に分散されているか否かを判断し、より均一に分散されていると判断したときの供給シュート３１の位置を好適な位置としてもよい。この場合、各重量センサ１５による計測値の分散あるいは標準偏差を求め、その求めた値が最小のときの供給シュート３１の位置を好適な位置としてもよい。なお、いずれの場合にしても、被計量物に破損がないことを目視にて確認しておく。
【００３６】
以上のようにして、ある種類の被計量物に応じた供給シュート３１の好適な位置を求めることができる。同様にして、複数の各々の種類の被計量物に応じた供給シュート３１の好適な位置を求める。本実施形態では、例えば３種類の各種類の被計量物に応じた供給シュート３１の好適な位置を求め、それに応じて３つのレバー嵌込み部３６ａ〜３６ｃの位置を決めている。したがって、被計量物の複数の各々の種類に応じて、供給シュート３１の位置を変更できるので、被計量物の複数の種類に対応可能である。被計量物としては、ポテトチップスやおかきなどの様々な種類の菓子類等があり、このような複数の種類の被計量物に対応できる。
【００３７】
なお、レバー嵌込み板３６に３つのレバー嵌込み部３６ａ〜３６ｃを設けて３種類の被計量物に対応可能な構成にしたが、３種類に限らず、２種類の被計量物に対応可能な構成であってもよいし、４種類以上の被計量物に対応可能な構成であってもよい。また、レバー３５の固定方法は、レバー嵌込み部を設けたレバー嵌込み板３６を用いた構成に限られるものではない。また、レバー３５の固定位置を連続的に変更可能（調整可能）な構成であってもよい。
【００３８】
なお、組合せ秤を例えば１種類の被計量物のみの計量を行うことに使用し、他の種類の被計量物の計量を行わない場合には、計量を行う１種類の被計量物に応じて、供給シュート３１の好適な位置を設定して、その状態で供給シュート３１が固定された構成であってもよい。
【００３９】
（第２の実施形態）
図２（ａ）は、本発明の第２の実施形態の組合せ秤用供給装置及び組合せ秤を側方から見た概略構成を示す図であり、図２（ｂ）は、同組合せ秤用供給装置を上方から見た概略構成を示す図である。図２（ａ）、（ｂ）において、図１（ａ）、（ｂ）と同一部分には、同一符号を付し、その説明を省略する。
【００４０】
本実施形態の組合せ秤用供給装置は、供給ファネル２及び供給シュート装置４を備え、搬送コンベヤ１ｂから供給されてくる被計量物を組合せ秤へ供給するためのものである。本実施形態では、第１の実施形態における供給シュート装置３に代えて、供給シュート装置４を用いている。また、供給シュート装置４へ被計量物を供給する手段として、例えばベルトコンベヤからなる搬送コンベヤ１ｂを用いているが、これに代えて第１の実施形態で用いた振動式の搬送フィーダ１ａであってもよい。
【００４１】
供給シュート装置４は、傾斜部４１ａと水平部４１ｂを有する供給シュート４１と、供給シュート４１の水平部４１ｂ上に設けられ、搬送コンベヤ１ｂから供給される被計量物を貯留するための貯留枠４２と、供給シュート４１を支持しかつ振動させる振動装置４３と、振動装置４３を載置して固定するための載置台４４と、載置台４４を支持する回動軸４５と、回動軸４５を回動させる駆動装置４６とを備えている。載置台４４、回動軸４５及び駆動装置４６によってシュート位置変更手段が構成されている。供給シュート４１の水平部４１ｂは、一端側が閉じられた一定幅の樋状であり、その他端側から続く傾斜部４１ａは、図１の供給シュート３１と同様の構成であり、水平部４１ｂ側が幅広で、排出口側が幅狭の樋状になっている。
【００４２】
ここで、振動装置４３及び駆動装置４６は組合せ秤の制御装置１８によって制御されるように構成されている。
【００４３】
組合せ秤には、例えば、分散フィーダ１１上の被計量物の量を検出するためのレベル検出器２１が設けられている。このレベル検出器２１には、例えば超音波センサが用いられ、分散フィーダ１１上の被計量物の層厚が検出され、その検出信号は制御装置１８へ送出される。制御装置１８では、レベル検出器２１によって検出される分散フィーダ１１上の被計量物の層厚を基に、分散フィーダ１１上の被計量物を一定量に保つように、振動装置４３の動作を制御する。この振動装置４３を動作させると、供給シュート４１が振動して、水平部４１ｂ上の被計量物が傾斜部４１ａへ送り出され、傾斜部４１ａから供給ファネル２上へ排出される。
【００４４】
駆動装置４６は、例えば、モータが取り付けられた減速ギヤ機構部を有し、回動軸４５が減速ギヤ機構部に連結されている。減速ギヤ機構部は、複数のギヤによってモータの回転を減速して回動軸４５に伝達する公知の構成からなる。駆動装置４６を制御して回動軸４５を回動させることにより、載置台４４が回動し、供給シュート４１は、回動軸４５を中心にして矢印ｃのように回動（揺動）する。なお、駆動装置４６は、上記モータ等ではなく、例えばポジショナ付きエアシリンダによって回動軸４５を回動させるように構成されていてもよい。
【００４５】
ここで、本実施形態では、被計量物の複数の種類のそれぞれに応じて、供給シュート４１の好適な位置を予め試験等を行って求め、その好適な位置を制御装置１８に記憶させておく。各々の種類の被計量物に応じた供給シュート４１の好適な位置については、第１の実施形態における供給シュート３１の好適な位置を求める場合と同様にして求めればよい。本実施形態では、操作者が、操作表示器１９を操作することにより、制御装置１８が駆動装置４６を制御して供給シュート４１の位置を変更することが可能なように構成されている。したがって、供給シュート４１の好適な位置を求めるときに、供給シュート４１の位置の変更は、操作表示器１９を操作することにより行う。そして、求めた供給シュート４１の好適な位置は、操作表示器１９の操作によって被計量物の種類とともに設定することにより、被計量物の種類とともに制御装置１８に記憶される。通常、複数の種類の被計量物に使用される組合せ秤では、運転開始前に、操作表示器１９の操作によって運転条件として被計量物の種類も設定される。例えば、運転条件として被計量物の種類が設定されたときに、その種類に応じた好適な位置になるように制御装置１８が駆動装置４６を制御して供給シュート４１の位置を設定ないし変更するように構成されていてもよい。あるいは、操作表示器１９のディスプレイ画面に、供給シュートの位置設定画面を表示させ、その位置設定画面上で被計量物の種類を設定（入力）することにより、その種類に応じた好適な位置になるように制御装置１８が駆動装置４６を制御して供給シュート４１の位置を設定ないし変更するように構成されていてもよい。
【００４６】
なお、本実施形態においても、組合せ秤を例えば１種類の被計量物のみの計量を行うことに使用し、他の種類の被計量物の計量を行わない場合には、計量を行う１種類の被計量物に応じて、供給シュート４１の好適な位置を設定して、その状態で載置台４４が固定された構成としてもよい。この場合、回動軸４５及び駆動装置４６は不要である。
【００４７】
なお、第１の実施形態では、レバー３５を操作することにより手動で供給シュート３１の位置を変更できるようにしたが、第１の実施形態においても、第２の実施形態の場合と同様に、供給シュート３１の位置を自動で変更できるようにしてもよい。例えば、図１において、供給シュート３１に固定された回動軸３２を駆動装置４６（図２（ａ）参照）に連結し、駆動装置４６によって回動させるように構成すればよい。
【００４８】
なお、上記第１、第２の実施形態では、供給シュート３１，４１を回動可能な構成にしたが、供給シュート３１，４１を被計量物の排出方向に対し所定角度（例えば９０度の角度）をもつ水平方向（例えば図１（ｂ）、図２（ｂ）における矢印ｙ方向）に移動可能なように構成してもよい。この場合、例えば図２において、回動軸４５及び駆動装置４６を設けずに、載置台４４を例えば図２（ｂ）における矢印ｙ方向に水平移動できるように構成すればよい。このような供給シュート３１，４１を水平移動させる構成は種々考えられ、上記水平移動できればどのような構成であってもよい。
【産業上の利用可能性】
【００４９】
本発明にかかる組合せ秤用供給装置は、分散フィーダ上へ片寄りなく均一に被計量物を供給することができるとともに被計量物の破損も防止することができる組合せ秤用供給装置等として有用である。
【符号の説明】
【００５０】
２  供給ファネル
２ａ  供給ファネルの上部開口
２ｂ  供給ファネルの下部開口
３  供給シュート装置
４  供給シュート装置
１８  制御装置
１９  操作表示器
３１  供給シュート
４１  供給シュート
４５  回動軸
４６  駆動装置
【図１】
2011047789.tif 000003
【図２】
2011047789.tif 000004
【図３】
2011047789.tif 000005